(57)【要約】【目的】液体調味料など流動性を有する内容物を密封包装する包装用袋であって、特に、注出路を有する包装用袋の開封時に、内容物が飛び出して手指や着衣などを汚すことがない包装用袋を提供すること。【構成】請求項１に記載の発明は、上下二面のフィルムを袋状にヒートシールしてなり、内部に液状の内容物が密封される包装用袋であって、当該包装用袋の一端に内部に連通する長さ１５〜２０ｍｍの注出路を備えて構成した。  請求項２に記載の発明は、請求項１に記載の包装用袋において、注出路の開封位置にノッチを設けて構成した。【選択図】        図１
2017074969.tif 000002
【特許請求の範囲】
【請求項１】
上下二面のフィルムを袋状にヒートシールしてなり、内部に液状の内容物が密封される包装用袋であって、当該包装用袋の一端に内部に連通する長さ１５〜２０ｍｍの注出路（１５）を具えた包装用袋。
【請求項２】
注出路（１５）の開封位置にノッチ（１６）を設けた請求項１に記載の包装用袋。
【発明の詳細な説明】
【技術分野】
【０００１】
本発明は主に液体調味料を収容する包装用袋に関し、より詳しくは開封時に内容物が飛散することを抑制可能な包装用袋に関する。
【背景技術】
【０００２】
市販されている弁当等には、醤油やソ−ス、ドレッシング等の液体調味料を収容した包装用袋が備えられることが多い。これら包装用袋はナイロンフィルムやアルミ蒸着フィルムを用いて形成されるものである。
【０００３】
上記包装用袋として、図２に示すようなその周縁の三辺１ａ‥１ａがヒートシールされた袋体１が知られている。この袋体１は、ナイロンフィルムやアルミ蒸着フィルムを用いて構成されており、矩形状の１枚のフィルムを２つ折りにした後、開放された三辺をヒートシールして形成される。
【０００４】
また、図３に示すように、周縁の三辺２ａ‥２ａがヒートシールされた袋体２において、袋体２の上部を幅広にヒートシールし、その一部に注出路２ｂが形成された三方シール袋体も知られている。この袋体２も、矩形状の１枚のフィルムを２つ折りにした後、開放された三辺をヒートシールして形成されるものである。
【０００５】
さらには、図４に示すように、矩形状の２枚のフィルムを重ね合わせ、その周縁の四辺３ａ‥３ａをヒートシールして形成される袋体３も従来から知られている。
【０００６】
このようにして形成された包装用袋１，２，３は、その開封を容易にするためにヒートシール部１ａ，２ａ，３ａにノッチを付けたり疵を意図的に付けて、切り口１ｃ，２ｃ，３ｃを設けていた。
【０００７】
特許文献１には、包装用袋の一端に狭い幅の注出路を具えると共に、該包装用袋の中心部近傍に、袋を持ちやすくするための摘み用ヒートシール部を設けた包装用袋が開示されている。この発明は、注出路の幅を狭くすることで、当該注出路内に内容物が貯留されず、つまりは開封時に内容物が飛散することを抑制するものである。また、摘みを持って開封することで、つまりは内容物が収容された袋本体を持たずに開封することで内容物の飛散を抑制するものである。
【先行技術文献】
【特許文献】
【０００８】
【特許文献１】特開２０００−２０３６０２号公報
【発明の概要】
【発明が解決しようとする課題】
【０００９】
上記包装用袋１や包装用袋３は、切り口１ｃ，３ｃから切り裂き開封すると、内容物が飛び出して、手指や着衣などを汚すことが起こり得る。また、包装用袋２のように注出路２ｂが設けてあっても、注出路２ｂの部分にも内容物が滞留し、開封の際、内容物が飛び出して、手指や着衣などを汚すことが起こり得る。
【００１０】
本発明は、このような問題点を解消するためになされたものであり、その目的とするところは、液体調味料など流動性を有する内容物を密封包装する包装用袋であって、特に、注出路を有する包装用袋の開封時に、内容物が飛び出して手指や着衣などを汚すことがない包装用袋を提供することを目的とする。
【課題を解決するための手段】
【００１１】
上記の目的を達成する本考案の構成は以下の通りである。
【００１２】
（１) 請求項１に記載の発明は、上下二面のフィルムを袋状にヒートシールしてなり、内部に液状の内容物が密封される包装用袋であって、当該包装用袋の一端に内部に連通する長さ１５〜２０ｍｍの注出路を備えて構成した。
【００１３】
（２) 請求項２に記載の発明は、請求項１に記載の包装用袋において、注出路の開封位置にノッチを設けて構成した。
【発明の効果】
【００１４】
上記のように構成される本発明が、如何に作用して課題を解決するかを図面を参照しながら概説する。
【００１５】
図１は本発明にかかる包装用袋１０の斜視図である。上部ヒートシール部１２に設けられた注出路１５の長さＬが１５〜２０ｍｍに設定してある。
【００１６】
注出路１５が、かように長尺に設けられていることから、ノッチ１６から切り裂き開封する際に、注出路１５を指で密封して開封することが可能となる。
【００１７】
それゆえ内容物が飛散することが可及的に抑制可能となり、つまりは内容物が飛び出して手指や着衣などを汚すことがないのである。
【００１８】
なお、１５〜２０ｍｍに限定したのは、包装用袋の開封作業を自ら行うことが予想される、子供から大人、かつ、男女の一般的な親指と人指し指の指幅を勘案し、注出路を親指と人指し指で押さえた際に密封される注出路の長さに対応するものである。つまりは、２０ｍｍを超えて注出路を形成しても、密封されない注出路部分が発生し、不要に注出路を長くする結果になり、内容物の飛散を抑制する観点から意味が無い。他方で１５ｍｍ以下では親指と人差し指で押さえた際に、注出路以外の内容物収容部を指で押さえてしまうことになりかねず、かえって内容物を押し出す結果となりかねず、つまりは内容物を飛散させてしまう恐れがあるからである。
【図面の簡単な説明】
【００１９】
【図１】本発明にかかる包装用袋の斜視図
【図２】従来例の斜視図
【図３】従来例の斜視図
【図４】従来例の斜視図
【発明を実施するための形態】
【００２０】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
【００２１】
本発明にかかる包装用袋は、内容物に対する保存性を備えたナイロンフィルムや、酸素ガス、水蒸気等に対するバリア性を備えたアルミ蒸着層を設けたアルミ蒸着フィルムなどを使用して形成されるものである。
【００２２】
図１に示した包装用袋１０は、三方シール形式で製袋されており、矩形状の１枚のフィルムを２つ折りにした上下二面のフィルム１１の底部と片方の側部とが、底部ヒートシール部１４と側部ヒートシール部１３とでヒートシールされ、上部の開口部から液状の内容物が充填された後、上部の開口部をヒートシールする際、上部の一部にヒートシールを施さないことで空洞の注出路１５を形成したものである。注出路１５の長さＬは１５〜２０ｍｍに設定してある。
【００２３】
また、注出路１５の先端部寄りの側部に易開封性手段として、切欠きであるノッチ１６を設けて構成してある。
【００２４】
上記実施形態は三方シール形式の場合であるが、矩形状の２枚のフィルムを重ね合わせ、その四辺をヒートシールした四方シール形式で形成しても、むろん構わない。
【符号の説明】
【００２５】
１０・・包装用袋
１１・・フィルム
１２・・上部ヒートシール部
１３・・側部ヒートシール部
１４・・底部ヒートシール部
１５・・注出路
１６・・ノッチ
【図１】
2017074969.tif 000003
【図２】
2017074969.tif 000004
【図３】
2017074969.tif 000005
【図４】
2017074969.tif 000006